(57)【特許請求の範囲】
【請求項１】
調圧部屋の外部に、同一の垂直面内に調圧部屋に通じる第１出入り口と外部に通じる第２出入り口を備えた出入り口ブースを設ける一方、前記第１と第２の出入口が形成する面内において、当該第１と第２の出入口を同時に密閉できる形状を有する１枚の扉であって、第１出入口側にスライドさせて当該第１出入口を密閉すると第２出入口を開放し、又は、第２出入口側にスライドさせて当該第２出入口を密閉すると第１出入口を開放することができる扉を設けたことを特徴とするエアロック扉装置。
【請求項２】
調圧部屋の外部に、同一の垂直面内に調圧部屋に通じる第１出入り口と外部に通じる第２出入り口を備えた出入り口ブースを設ける一方、前記第１と第２の出入口がなす面内に、当該第１と第２の出入口のいずれか一方を密閉できる形状を有する１枚の扉であって、いずれか一方の出入口側にスライドさせるとスライドした側の出入口を密閉すると共に他の側の出入口を開放する出入口用扉を設けると共に、当該出入口ブースの内部であって第１と第２の出入口の中間に、閉扉したとき前記第１出入口と第２出入口の間を気密に仕切ると共に開扉したとき当該ブース内で第１と第２の出入口の間を連通させるブース内扉を設けたことを特徴とするエアロック扉装置。
【発明の詳細な説明】
【技術分野】
【０００１】
本発明は、病院，研究所，原子力施設などのように、内部の圧力が調整された部屋や建屋（以下、「調圧部屋」という）に設置された出入口において、当該部屋の内部と外部を、気密に遮断する機能を備え、かつ、人などの出入りの際に扉を開閉しても調圧部屋の内部と外部の間に設定されている気圧差を損なうことなく出入りをすることができるように形成されたエアロック扉装置に関する。
【背景技術】
【０００２】
エアロック扉は、上記のように各施設における所定の調圧部屋に設けられた出入口において、その部屋の内部と外部の間に設定する圧力差（差圧）を所定に維持，管理するために設けられる扉装置であり、特許文献１〜６などにより従来から多くの提案がなされている。
【０００３】
しかし乍ら、提案されているエアロック扉装置は、必要十分な差圧管理を実現するために複雑な構造であったり、設備が大がかりになっているなどの問題がある。
例えば、部屋の出入口に設ける扉装置を、複数の扉で個々に仕切られた少なくとも１以上の調圧ブース（調圧室ともいう）に形成し、出入りする人は、入口扉を開けて調圧ブースに一旦入り、その入口扉を閉じ、当該ブースの出口扉を開けて調圧部屋の内部に入るといった、調圧ブースの入口扉と出口扉に設定された扉の開閉パターンに従って人が出入りしている。
【０００４】
前記の各扉はモータ等の駆動力により開閉タイミングと開閉動作が、シーケンス制御とインターロック制御の組合せなどにより一定の制御パターンで制御されているが、制御系にトラブルが発生すると、２つの扉が同時に開いて調圧部屋の内部と外部の間での差圧管理ができなくなったり、人がエアロック扉装置の調圧ブースの中に閉じ込められたりする問題がある。
【０００５】
上記のような電気制御系の問題に鑑み、複数の扉を純機械的構成によってインターロック制御して、一の扉を開けると次の扉が開かず、開けた一の扉を閉じないと次の扉が開けられないようにしたものがある。しかし、この機械的方式のものは構造が複雑であることに起因して作動トラブルや故障が生じ易いものが多く、結局インターロック機構が故障すると、電気制御タイプのものと同様の問題を招来する。
【特許文献１】実開昭６２−５７１９４号公報
【特許文献２】特開昭５９−１５９０９１号公報
【特許文献３】特開昭６１−１２００９０号公報
【特許文献４】特開昭６２−４４６８８号公報
【特許文献５】特開平３−２４４９５号公報
【特許文献６】特開２００１−２３５５７６号公報
【発明の開示】
【発明が解決しようとする課題】
【０００６】
そこで本発明は上記のような従来のエアロック扉装置の問題点に鑑み、できるだけエアロック扉装置の構造を簡潔にすると共に、差圧管理が破綻するような２つの扉の同時開状態になることがないエアロック扉装置を提供することを、課題とする。
【課題を解決するための手段】
【０００７】
上記課題を解決することを目的としてなされた本発明エアロック扉装置の第１の構成は、
調圧部屋の出入口の外部に、当該出入口が形成する垂直面と同じ面内にその調圧部屋に通じる第１出入口と外部に通じる第２出入口を備えた出入口ブースを設ける一方、前記第１と第２の出入口が形成する面内において、当該第１と第２の出入口を同時に密閉できる形状を有する１枚の扉であって、第１出入口側にスライドさせて当該第１出入口を密閉すると第２出入口を開放し、又は、第２出入口側にスライドさせて当該第２出入口を密閉すると第１出入口を開放することができる扉を設けたことを特徴とするものである。
【０００８】
また、上記課題を解決することができる本発明エアロック扉装置の第２の構成は、
調圧部屋の出入口の外部に、当該出入口が形成する垂直面と同面内にその部屋に通じる第１出入口と外部に通じる第２出入口を備えた出入口ブースを設ける一方、前記第１と第２の出入口がなす面内に、当該第１と第２の出入口のいずれか一方を密閉できる形状を有する１枚の扉であって、いずれか一方の出入口側にスライドさせるとスライドした側の出入口を密閉すると共に他の側の出入口を開放する出入口用扉を設けると共に、当該出入口ブースの内部であって第１と第２の出入口の中間に、閉扉したとき前記第１出入口と第２出入口の間を気密に仕切ると共に開扉したとき当該ブース内で第１と第２の出入口の間を連通させるブース内扉を設けたことを特徴とするものである。
【発明の効果】
【０００９】
第１の構成の本発明においては、調圧部屋の内部に通じた第１出入口と同一垂直面内にあって外部に通じた第２出入口を備えた出入口ブースの、当該第１と第２の出入口を１枚の扉で両出入口を同時に塞ぎ、かつ、当該１枚の扉をいずれか一方の出入口側にスライドさせると、必らず他方の出入口側が開放されるので、両出入口が同時に開扉状態になることはない。
【００１０】
また、本発明の第２の構成では、上記と同じように設けた出入口ブースに対し、前記第１と第２の出入口がなす面内に、当該第１と第２の出入口のいずれか一方を密閉できる形状の１枚の扉であって、いずれか一方の出入口側にスライドさせるとスライドした側の出入口を密閉すると共に他の側の出入口を開放する出入口用扉を設けると共に、当該出入口ブースの内部であって第１と第２の出入口の中間に、閉扉したとき前記第１出入口と第２出入口の間を気密に仕切ると共に開扉したとき当該ブース内で第１と第２の出入口の間を連通させるブース内扉を設けたので、上記第１の発明と同様に、第１，第２の出入口が同時に開扉状態になることはない。ここで、第１発明，第２発明とも、各扉の開閉動作は、手動開閉操作のほかモータやシリンダなどの駆動力によってもよい。
【００１１】
さらに、いずれのエアロック扉装置も、扉の開閉動作を許容又は拒否する鎖錠手段を、１個（又は１組）の機械的鎖錠手段によって形成したので、両出入口が同時開扉状態になることがある電気系制御のような動作トラブルはない。また、機械系の単一鎖錠手段による扉の開閉動作の許否をする制御であるから、仮に、当該鎖錠手段にトラブルが生じても、両出入口が同時に開放状態になることはない。
【発明を実施するための最良の形態】
【００１２】
次に、本発明扉装置の実施の形態例について、図を参照して説明する。
図１は本発明扉装置の一例において出入口ブースの外部に通じた第２出入口の開扉状態（第１出入口は閉扉状態）を示す平断面図、図２は図１の扉装置において出入口ブースの第１，第２の出入口とも閉扉状態を示す平断面図、図３は図１，図２の扉装置において、出入口ブースの第１出入口が開扉状態（第２出入口は閉扉状態）を示す平断面図である。
【００１３】
図４〜図６は本発明の第２の構成の扉装置の平断面図であって、図４は第２の構成の本発明扉装置の一例において出入口ブースの外部に通じた第２出入口の開扉状態（第１出入口は閉扉状態）を示す平断面図、図５は図４の扉装置において出入口ブースの第１，第２の出入口とも閉扉状態を示す平断面図、図６は図４，図５の扉装置において、出入口ブースの第１出入口が開扉状態（第２出入口は閉扉状態）を示す平断面図である。なお、図４〜図６において、ブース内扉はすべて閉扉状態であるが、図４から図５の状態になるとき、人が動くために、当該ブース内扉は図４の閉扉状態と図５の閉扉状態の間で、一度、開扉状態を経ている。
【００１４】
図１〜図３において、壁W１，W2は調圧部屋（又は建屋）の壁で、この壁W1，W2に調圧部屋の内部Riに通じる出入口１が形成されている。なお、図１〜図３のW1，W2の内側が調圧部屋の内部Riである。
【００１５】
図１〜図３の例では、壁W2を挟んで調圧部屋の出入口１と同じ位置に第１出入口２を備え、かつ、壁W2を挟んで第１出入口２と対称な位置に外部と通じる第２出入口３が形成されている。調圧部屋の出入口１の外部側には、第１と第２の出入口２，３を備えた出入口ブース４が設けられている。このブース４はその出入口２，３を除いて、閉鎖空間である。なお、W3は出入口ブース４の壁、W4は出入口ブース４の壁W3に直交した外部の壁である。
【００１６】
出入口ブース４において、２つの出入口２，３に対しては、両出入口２，３が形成する垂直面内に、壁W2を貫いて床（水平面）に平行にスライドしていずれか一方の出入口２又は３を開放するか、又は、中立位置で両出入口２，３を同時に密閉することができる形状（大きさ）の扉５が設けられている。扉５は、そのスライド動作を受けると共に、鎖錠時に中立位置で扉５を位置決めして固定するための扉受け5a，5bが壁W1と壁W4に沿って設けられている。なお、この扉５の鎖錠手段（装置）６は、一例として壁W2の外側に設けているが、鎖錠手段６の設置場所は、他の場所であってもよい。
【００１７】
１枚の扉５によって２つの出入口１，２が同時に気密に閉鎖された図２の状態（人などの出入りがない通常時における両出入口２，３の閉鎖状態）において、扉５を図２の上方の扉受け5aの側へスライドさせると、第２出入口３が開扉され、人Ｍは外から出入口ブース４の内部へ出入り自由になる（図１参照）。このとき、調圧部屋の内部Riはスライドした扉５によって密閉されているので、当該部屋の内部Riが外部に通じることはない。つまり、部屋の内部Riの設定圧は所定圧に維持されることになる。
【００１８】
図１の状態において、人Ｍが調圧部屋の内部Riに入るには、図の上方へスライドさせて第２出入口３を開放していた扉５を、図の下方へスライドさせて一旦図２の状態を経てから図３の状態にスライドさせる。そうすると、スライドさせた扉５は壁W2の扉通路と扉受け5bに支持された状態で先に開放されていた第２出入口３を密閉すると共に、先に遮断密閉されていた第１出入口２と調圧部屋の出入口１との密閉遮断を解くので、人Ｍは調圧部屋の内部Riに入ることができる。このとき、当該部屋の内部Riと第２出入口３が密閉されている出入口ブース４の内部は、同じ圧力下におかれるので、調圧部屋の内部Riの設定圧は所定に維持される。
【００１９】
調圧部屋の内部Riに居た人Ｍが外へ出るには、図３の状態にあって開放されている調圧部屋の出入口１と第１出入口２を通って出入口ブース４に入り、扉５を図の上方へ向けてスライドさせ、当該扉５を図２の状態を経てから図１の状態にすることにより、第２出入口３から外へ出ることができる。人Ｍが外へ出たら扉５を下方へスライドさせて、図２の状態、つまり、第１と第２の出入口２，３が同時にその扉５により密閉された状態にすることにより、人の出入りができない状態に戻ることになる。
【００２０】
上述したように、図１〜図３により説明した本発明エアロック扉装置の第１例では、出入口ブース４に設けた第１，第２の出入口２，３に対して開閉作用をする１枚の扉５によって、両出入口２，３が同時に開放されることがないようにし、かつ、その扉５の開閉動作を制御する鎖錠手段６を１箇所にしか設けないので、調圧部屋の内部Riに管理された差圧を保持したまま出入りするために至ってシンプルな構造で故障や作動トラブルのないエアロック扉装置を提供することができる。
【００２１】
次に、図４〜図６を参照して本発明エアロック扉装置の第２例について説明する。なお、図１〜図３と同一部材，同一部位は同一符号を用いる。
図４〜図６の例でも、壁W2を挟んで調圧部屋の出入口１と同じ位置に第１出入口２を備え、かつ、壁W2を挟んで第１出入口２とほぼ対称な位置に外部と通じる第２出入口３が形成されている。調圧部屋の出入口１の外部側には、第１と第２の出入口２，３を備えた出入口ブース４が設けられている。このブース４の内部には、壁W2の延長線上においても当該ブース４の内部を気密に２分するヒンジ式の扉７が配置されている。なお、このブース４は前記出入口２，３を除いて閉鎖空間である。図４〜図６において、W3は出入口ブース４の外壁、W4は出入口ブース４の壁W3に直交した外部の壁である。
【００２２】
上記の出入口ブース４において、２つの出入口２，３に対しては、両出入口２，３が形成する垂直面内に、壁W2を貫いて床（水平面）に平行にスライドし、いずれか一方の出入口２又は３を開放すると、他方の出入口３又は２を密閉することができる形状（大きさ）の扉51が設けられている。扉51は、そのスライド動作を受けて支持すると共に、出入口２又は３を密閉した位置で当該扉51を位置決めして固定するための扉受け51a，51bが壁W1と壁W4に沿って設けられている。なお、この扉51は、その内側にヒンジ式などの小扉51cを具備している。
【００２３】
一方、出入口ブース４の内部を２つの部屋41，42に気密的に閉鎖，開放するヒンジ式の扉７は、そのヒンジ7aにおいて開閉自在である。この扉７には、その鎖錠手段であるとともに、扉51の鎖錠手段としても作用する単一の鎖錠装置61が、閉じられた扉７の非ヒンジ側と出入口３の側に位置付けた扉51とに連繋して設けられている。図において、7bは扉７に設けたハンドルで、鎖錠装置61の、例えばカンヌキ進退用のハンドルを兼ねた開閉用ハンドルである。なお、カンヌキ用の操作ハンドル、或は、扉７の開閉用ハンドルは、上記ハンドル7b以外の形態，構造のものであってもよい。
【００２４】
いま、扉７が閉じられて出入口ブース４を２つの部屋41，42に気密に区画しているとき、扉51は扉受け51bの側にあって出入口３を気密に閉じている（図６参照）。出入口ブース４がこの状態にあるとき、調圧部屋の内部Riに人Ｍが入るには、まず扉51の小扉51ｃを開けてそこから部屋41に入り当該小扉51cを閉じる。
【００２５】
部屋41に入った人Ｍは、ハンドル7bを操作して扉７の鎖錠を解きその扉７を開けて部屋42に入り開けた扉７を閉じる（図５参照）。この状態において部屋42に入った人Ｍは扉51を図５の下方へスライドさせて出入口ブース４の出入口２を開ける（図６参照）。これにより、調圧部屋の内部Riの出入口１と扉７で密閉されている部屋42の出入口２とが通じるので、人Ｍは当該調圧部屋の内部Riに部屋42から入って行くことが出来る。
【００２６】
調圧部屋の内部Riから外に出るときは、開いている出入口１，２を通って部屋42に戻り、図６の状態にある扉51を図５の状態になるようにスライドさせて出入口２を密閉する。次いで、出入口ブース４を仕切っている扉７を開けて部屋42から部屋41に戻り、戻ったところで扉７を閉じ部屋42を密閉する。その後ハンドル7bを回して鎖錠装置61により両方の扉51と７を鎖錠する。
なお、本発明においては、上記例とは異なり、扉51を扉受け51bの側へスライドさせて鎖錠装置61により両扉51，７をロックして小扉51cから外へ出る扉51と７の閉鎖パターンを採ることもできる。
【００２７】
上述したように、図４〜図６により説明した本発明エアロック扉装置の第２例では、出入口ブース４に設けた第１，第２の出入口２，３に対して選択的に開閉作用をする第１の扉51と出入口ブース４を２つの部屋41，42に仕切る第２の扉７を設け、２つの出入口２，３が同時に開放されることがないように、当該扉51と７の開閉動作を、単一で１箇所にしか設けない鎖錠手段61によって機械的に制御するようにしたので、至ってシンプルな構造の機械的構成のインターロック機構により故障，トラブルのない調圧部屋に出入りするためのエアロック扉装置を提供することができる。
なお、各扉51，７の開閉動作を入力によるか、又は、モータ等の駆動源を用いるかは、任意に選択することができる。
【産業上の利用可能性】
【００２８】
本発明は以上の通りであって、一例として、調圧部屋の出入口の外部に、当該出入口が形成する垂直面と同じ面内にその調圧部屋に通じる第１出入口と外部に通じる第２出入口を備えた出入口ブースを設ける一方、前記第１と第２の出入口が形成する面内において、当該第１と第２の出入口を同時に密閉できる形状を有する１枚の扉であって、第１出入口側にスライドさせて当該第１出入口を密閉すると第２出入口を開放し、又は、第２出入口側にスライドさせて当該第２出入口を密閉すると第１出入口を開放することができる扉を設けたことにより、エアロック扉装置に形成したので、エアロック扉装置における機械的構成のインターロック機構を大巾に簡素化した構造で実現することができ、しかも簡潔な構成のインターロック機構であるから動作トラブルや故障は全くといってよい程なく、従って、圧着管理に破錠を来たす２つの出入口の同時開状態の発生を未然に防ぐことができるのできわめて有用である。
【図面の簡単な説明】
【００２９】
【図１】第１の構成の本発明扉装置の一例において出入口ブースの外部に通じた第２出入口の開扉状態（第１出入口は閉扉状態）を示す平断面図。
【図２】図１の扉装置において出入口ブースの第１，第２の出入口とも閉扉状態を示す平断面図。
【図３】図１，図２の扉装置において、出入口ブースの第１出入口が開扉状態（第２出入口は閉扉状態）を示す平断面図。
【図４】第２の構成の本発明扉装置の一例において出入口ブースの外部に通じた第２出入口の開扉状態（第１出入口は閉扉状態）を示す平断面図。
【図５】図４の扉装置において出入口ブースの第１，第２の出入口とも閉扉状態を示す平断面図。
【図６】図４，図５の扉装置において、出入口ブースの第１出入口が開扉状態（第２出入口は閉扉状態）を示す平断面図。
【符号の説明】
【００３０】
Ri          調圧部屋の内部
１          調圧部屋の出入口
２          出入口ブースの第１出入口
３          出入口ブースの第２出入口
４          出入口ブース
５，51      扉
６，61      鎖錠装置
【図１】
0005025454.tif 000002
【図２】
0005025454.tif 000003
【図３】
0005025454.tif 000004
【図４】
0005025454.tif 000005
【図５】
0005025454.tif 000006
【図６】
0005025454.tif 000007